(57)【特許請求の範囲】
【請求項１】
水平断面形状が四角形で４つの周壁を有する支持胴部（２０）と、
支持胴部の４つの周壁のうちの３周壁から上方に連なり、対向する第１側壁（３２）および第２側壁（３４）と、第１側壁および第２側壁の後端を連結する背壁（３３）とから構成される水平断面コ字状のフレーム体（３０）と、
フレーム体の第１側壁（３２）および第２側壁（３４）に固定された１または２以上の棚板（４０）と、を備えた展示台であって、
各棚板（４０）は、支持胴部（２０）およびフレーム体（３０）から分離した別部材であるとともに、フレーム体の第１側壁および第２側壁に対して当該両側壁を連結するよう固定された前板部（５０）と、前板部に連結された天板部（６０）と、を備えており、
天板部（６０）は、折罫（Ｘ）において２つ折り可能に連結された第１天板部（６２）と第２天板部（６４）を備えていて、第１天板部に設けた連結片（６２ａ）が、フレーム体の第１側壁（３４）に連結されており、
支持胴部（２０）およびフレーム体（３０）を上記４つの周壁の対向する２つのコーナ稜線（Ａ、Ｂ）を折って平坦に畳んだとき、これに連動して、天板部（６０）が上記折罫（Ｘ）において折り畳まれ、
畳まれた支持胴部（２０）およびフレーム体（３０）を拡げる動作に連動して、畳まれた天板部（６０）が拡がることを特徴とする展示台。
【請求項２】
上記フレーム体の第１側壁および第２側壁に貫通孔が設けられていて、その結果、
当該展示台を２台、一方の展示台の第１側壁と他方の展示台の第２側壁とを重ねた状態で並べた時に、重なり合う貫通孔に連結具を通して両展示台を互いに固定することができる、請求項１記載の展示台。
【請求項３】
上記フレーム体の第１側壁および第２側壁に連なる支持胴部の２の周壁に貫通孔が設けられていて、その結果、
当該展示台を２台、一方の展示台の第１側壁と他方の展示台の第２側壁とを重ねた状態で並べた時に、重なり合う貫通孔に連結具を通して両展示台を互いに固定することができる、請求項１または２記載の展示台。
【発明の詳細な説明】
【技術分野】
【０００１】
本発明は、店舗等に設置されて展示物が載置される展示台に関する。
【背景技術】
【０００２】
スーパーマーケットやドラッグストア等の店舗内に設置されて商品等の展示物を載置する従来の展示台は、特許文献１に開示されている。この展示台は、水平断面形状が略矩形の筒状の胴部と、胴部内に配される支持部材と、支持部材上に配されて胴部に嵌合する略矩形の天板とを備える。胴部の内面には係合孔が設けられ、天板の端面には外側に突出して胴部の係合孔に係合する係合片が設けられる。支持部材は互いに係合する係合溝を有した第１支持板と第２支持板とを直交して格子状に組み立てられる。天板上には商品等の展示物が載置される。
【０００３】
上記従来の展示台は、胴部から天板及び支持部材が取り外された状態で設置場所に搬送される。そして、設置場所において、支持部材が胴部内に配され、天板の係合片を胴部の係合孔に係合させて天板が胴部に取り付けられる。これにより、設置場所において、展示台が組み立てられる。
【先行技術文献】
【特許文献】
【０００４】
【特許文献１】特許第５１９６９４４号公報（第４頁−第６頁、第３図、第５図）
【発明の概要】
【発明が解決しようとする課題】
【０００５】
しかしながら、上記従来の展示台によると、設置場所において、胴部内に支持部材及び天板を設置する作業が必要になる。このため、展示台の組み立てに手間がかかり利便性が悪い問題があった。
【０００６】
本発明は、利便性を向上できる展示台を提供することを目的とする。
【課題を解決するための手段および発明の効果】
【０００７】
本発明の展示台は、「水平断面形状が四角形で４つの周壁を有する支持胴部」と「支持胴部の４つの周壁のうちの３周壁から上方に連なり、対向する第１側壁および第２側壁と、第１側壁および第２側壁の後端を連結する背壁とから構成される水平断面コ字状のフレーム体」と「フレーム体の第１側壁および第２側壁に固定された１または２以上の棚板」とを備える。
各棚板は、「フレーム体の第１側壁および第２側壁に対して当該両側壁を連結するよう固定された前板部」と「前板部に連結された天板部」とを備えている。
天板部は、折罫において２つ折り可能に連結された「第１天板部」と「第２天板部」を備えていて、第１天板部に設けた連結片が、フレーム体の第１側壁に連結されている。
支持胴部およびフレーム体を上記４つの周壁の対向する２つのコーナ稜線を折って平坦に畳んだとき、これに連動して、天板部が上記折罫において折り畳まれる。
また、畳まれた支持胴部およびフレーム体を拡げる動作に連動して、畳まれた天板部が拡がる。
【０００８】
上記のように構成された本発明の展示台は、対向する２つのコーナ稜線を折って平坦に畳んだときに、それと連動して棚板も折り畳まれる。また逆に、畳まれた状態の展示台を拡げる場合にも、それと連動して、畳まれていた棚板が拡がる。すなわち、展示台全体を組み上がった状態からワンタッチで「平坦状」に畳んだり、畳まれた展示台全体をワンタッチで拡げることができる。
すなわち、展示台が実際に使用されるフロア等において連結具や工具等を用いて展示台を組み上げる作業が不要となり、利便性が大きく向上する。使用後に展示台を畳むときも同様に、工具を用いて連結具を外す等の作業が不要となるので、やはり利便性が大きく向上する。
【０００９】
本発明で言う「平坦状」とは、次のような意味である。すなわち、一般的に、四角筒状の段ボール紙を、その対向する２つのコーナ稜線において折り畳んでほぼ平坦な状態とすることができるが、本発明に言う「平坦状」も同じ意味である。
【００１０】
また、本発明の展示台では、水平断面コ字状のフレーム体の対向する第１側壁および第２側壁に対して棚板が固定されるので、任意の数の複数の棚板を高さが異なる位置に、適宜の数だけ配置することができる。
したがって、展示台の使用環境や、展示物の数量等に応じて、展示台全体の高さ（棚板の数）をフレキシブルに設定することが可能となる。
【図面の簡単な説明】
【００１１】
【図１】本発明の一実施形態に係る展示台を組み上げた状態で示す斜視図。
【図２】図１の展示台を平坦状に畳んだ状態を示す正面図。
【図３】図１と図２の中間状態にある展示台を示す斜視図。
【図４Ａ】図１の展示台の最上部の棚板近傍を開いた状態で示す拡大図。
【図４Ｂ】図１の展示台の最上部の棚板近傍を中間状態で示す拡大図。
【図５Ａ】図１の展示台における棚板のみを示す斜視図。
【図５Ｂ】図５Ａの棚板を構成するブランクの展開図。
【図６】３台の展示台を並列配置して固定できる変形例を示す斜視図。
【発明を実施するための形態】
【００１２】
本発明の実施形態を、添付の図面を参照して以下に説明する。図１は、本発明の一実施形態に係る展示台１０を示す斜視図である。図１に示すように、展示台１０は、大略的には、支持胴部２０と、フレーム体３０と、３つの棚板４０と、で構成される。まず、これら各部材の構成を説明する。
【００１３】
＜支持胴部２０＞
支持胴部２０は、展示台全体を支える土台の役割を果たすものであって、水平断面形状が四角形で、４つの周壁２１〜２４を有している。支持胴部２０は、後述するように、２つのコーナ稜線Ａ、Ｂを折って平坦状に畳むことができる。
なお、支持胴部２０は、その上のフレーム体３０、棚板４０、および棚板に載置される展示物を支持するものであり、ある程度の重量を支える強度が必要である。したがって、折畳み可能に格子状に組み上げた井桁（図示せず）を内部に備えていてもよい。
【００１４】
＜フレーム体３０＞
フレーム体３０は、水平断面がコ字状であって、対向する第１側壁３２および第２側壁３４と、第１側壁および第２側壁の後端を連結する背壁３３とから構成される。フレーム体３０を構成する３つの壁部３２〜３４は、支持胴部の４つの周壁のうちの３周壁２２〜２４から上方に連なるよう一体的に構成されている。
【００１５】
＜棚板４０＞
図１の例では、棚板４０が３つ存在するが、各棚板の構成は本質的に同じである（最下方の棚板４０は、サイズ（面積）だけが上方の２つの棚板とは異なる）。各棚板４０については、図５Ａ、図５Ｂに詳細に示している。図５Ｂは、棚板４０を構成するブランクの展開図であって、図５Ａはこれを組み立てた状態を示している。棚板４０は、互いに連接された前板部５０および天板部６０で構成される。
前板部５０は、細長いプレート部５１と、その両側に位置する固定フラップ５２、５４とを備える。図１、図４Ａ等に示しているように、固定フラップ５２、５４は、それぞれ、フレーム体３０の第１側壁３２および第２側壁３４に固定され、プレート部５１は、展示台の前面に位置する。
天板部６０は、一点鎖線で示した折罫Ｘにおいて２つ折り可能に連結された第１天板部６２と第２天板部６４を備えている。第１天板部６２には、連結片６２ａが固定されている。連結片６２ａの機能の詳細は後述するが、これを第１側壁３２に連結しておくことで、第１側壁３２と棚板４０の動きを連動させることができる。
なお、図５Ｂにおいて天板部６０の周縁に配したフラップａ、ｂ、ｃ、ｄは、これらを折り曲げて、フレーム体３０の３つの壁部３２〜３４の内面に沿わせる一種のガイド片であって、本発明においては必須の要素ではない（省略が可能である）。連結片６２ａは、図示の例では、フラップａの上から固定された別部材であるが、フラップａの形状を必要に応じて変形し、それを連結片６２ａとして機能させてもよい。
【００１６】
＜展示台１０の全体的な挙動＞
展示台１０は、適宜のブランク（図示せず）を組み立てることで構成されており、図１は完全に組み上がった状態を示している。支持胴部２０の４つのコーナ稜線Ａ、Ｂを折ることで、展示台１０の全体を平坦状に畳むことができる。図２は、畳まれた展示台１０を正面から見た図である。また、図３は、中間状態にある展示台１０を違う角度から示している。
【００１７】
ここで言う「平坦状」とは、次のような意味である。すなわち、一般的に、四角筒状の段ボール紙を、その対向する２つのコーナ稜線において折り畳んでほぼ平坦な状態とすることができるが、本発明に言う「平坦状」も同じ意味である。
【００１８】
図１に示した展示台１０の組上状態から、支持胴部２０およびフレーム体３０を２つのコーナ稜線Ａ、Ｂを折って図２に示した折畳状態へと折り畳む時に（またはその逆の動作の時に）、それに連動して棚板４０が開いたり、折り畳まれたりする。これについて、図４Ａ、図４Ｂを参照して説明する。図４Ａは、組み上がった状態にある展示台１０（図１）の最上部近傍を拡大して示している。図４Ｂは、図３の中間状態における展示台１０の最上部近傍を拡大して示したものである。
【００１９】
棚板４０は、その前板部５０の両端に設けた固定フラップ５２，５４の２箇所においてフレーム体３０（第１側壁３２および第２側壁３４）に固定されている。固定は、リベット材、接着材等、適宜の固定手段を用いて行うことができる。また、第１天板部６２の側端に設けた連結片６２ａが、フレーム体３０の第１側壁３２に連結される。これによって、第１側壁３２と第１天板部６２とが一体的に動くこととなり、その結果、展示台１０の全体を畳んだり、開いたりするときに、これと連動して棚板４０の天板部６０も折罫Ｘにおいて折り畳まれたり、開いたりするようになる。
【００２０】
具体的に説明すると、図４Ａの状態から、展示台全体を平坦になるように折り畳んで行くと、それに連動して、図４Ｂに示したように天板部６０が折罫Ｘにおいて折れ曲がって上方に盛り上がる。さらに、折畳動作を進めると、最終的には図２に示したように、天板部６０が２つ折りになり、前方からは第２天板部６４（およびガイドフラップｄ）のみが視認できるようになる。
【００２１】
以上のような天板部６０の挙動は、３つの棚板全てについて共通である。
【００２２】
＜第１側壁３２に対する連結片６２ａの連結態様＞
なお、第１側壁３２に対する連結片６２ａの具体的な連結態様は、特定のものに限定されず、適宜の構成を採用可能である。例えば、第１側壁３２を二重壁構造として、内側の壁部にのみスリット６５（開口）を設けてそこに連結片６２ａを差し込むことで、二重壁間に連結片６２ａを挟持することができる。
【００２３】
＜複数の展示台を並列配置するのに好都合な変形例＞
図６は、変形例に係る展示台１０’を示している。この展示台１０’は、支持胴部２０の両側壁に連結孔２８を備え、フレーム体３０の両側壁に連結孔３８を備えている点において、図１〜図５に示した実施形態と異なる。
このような構成によれば、複数（例えば３台）の展示台１０’を並列配置する場合に、隣合う連結孔２８、３８同士を適宜の連結具で固定することによって、複数の展示台１０’を安定的に設置することが可能である。
【００２４】
以上の説明から分かるように、各展示台１０’の両側壁において、連結孔２８、３８は、それぞれ同じ投影位置に形成される。なお、連結孔２８、３８の具体的な形成位置および数は、自由に設定することが可能である。
【００２５】
また、連結孔は、支持胴部２０だけに設けてもよいし（すなわち、連結孔２８のみ）、フレーム体３０だけに設けてもよい（すなわち、連結孔３８のみ）。
【００２６】
＜他の実施形態＞
（１）
図示した各実施形態では、棚板４０を高さの異なる位置に３つ設けていた。しかし、本発明において、棚板４０の数は任意である。本発明では、水平断面コ字状のフレーム体３０の対向する第１側壁３２および第２側壁３４に対して棚板４０が固定されるので、高さが異なる位置に、任意の数の棚板４０を設けることが可能である。
したがって、展示台の使用環境や、展示物の数量等に応じて、展示台全体の高さ（棚板の数）をフレキシブルに設定することができる。
（２）
図示した各実施形態では、棚板４０の天板部６０が折り畳まれたり、開いたりするので、折罫Ｘを設けていた。展示の見栄えを良くするという意味で、折罫Ｘを隠す別のプレート材（図示せず）を拡がった天板部６０の上に載せるようにしてもよい。
【符号の説明】
【００２７】
１０、１０’  展示台
２０  支持胴部
２１〜２４  周壁
２８  連結孔
３０  フレーム体
３２  第１側壁
３３  背壁
３４  第２側壁
３８  連結孔
４０  棚板
５０  前板部
５１  プレート部
５２、５４  固定フラップ
６０  天板部
６２  第１天板部
６２ａ  連結片
６４  第２天板部
６５  スリット
【図１】
0006717031.tif 000002
【図２】
0006717031.tif 000003
【図３】
0006717031.tif 000004
【図４Ａ】
0006717031.tif 000005
【図４Ｂ】
0006717031.tif 000006
【図５Ａ】
0006717031.tif 000007
【図５Ｂ】
0006717031.tif 000008
【図６】
0006717031.tif 000009